(57)【要約】【課題】走行中、煩雑な条件の管理や変更を伴うことなく、複数実装した制御の干渉を防止すること。【解決手段】ＣＶＴコントロールユニット８と、エンジンコントロールユニット９と、運転支援コントロールユニット１４と、を備える。この車両の運転制御装置において、運転者のアクセルペダル操作に対する応答が異なるマニュアル有段変速制御と定速走行制御を実装する。ＣＶＴコントロールユニット８は、マニュアル有段変速制御が実行される「マニュアル有段変速制御運転モード」と、定速走行制御が実行される「定速走行制御運転モード」を、互いに重なり合って制御が実行されることのない異なる運転モードにする運転モード選択部８ｂを有する。【選択図】図７
2019158024.tif 000002
【特許請求の範囲】
【請求項１】
運転者のアクセルペダル操作に対する応答が異なる制御を複数実装し、
前記複数実装されている各制御が実行される運転モードを、互いに重なり合って制御が実行されることのない異なる運転モードにする運転モード選択部を有する
ことを特徴とする車両の運転制御装置。
【請求項２】
請求項１に記載された車両の運転制御装置において、
前記車両は、駆動系に無段変速機構を備え、
運転者のアクセルペダル操作により前記無段変速機構の疑似有段変速制御を実行する第１制御と、運転者のアクセルペダル操作により車速を所定車速に維持する定速走行制御を実行する第２制御とを実装し、
前記運転モード選択部は、前記第１制御が実行される第１運転モードと、前記第２制御が実行される第２運転モードとを切り分けて選択する
ことを特徴とする車両の運転制御装置。
【請求項３】
請求項２に記載された車両の運転制御装置において、
前記運転モード選択部は、前記無段変速機構による異なる無段変速パターンを選択する既存の第１スイッチと第２スイッチとからスイッチ信号を入力し、
前記第１スイッチと前記第２スイッチからのスイッチ信号の組み合わせにより、前記第１運転モードと前記第２運転モードとを切り分けて選択する
ことを特徴とする車両の運転制御装置。
【請求項４】
請求項３に記載された車両の運転制御装置において、
前記第１スイッチは、駆動性能重視のスポーツモード選択スイッチであり、
前記第２スイッチは、エネルギー消費性能重視のエコモード選択スイッチであり、
前記運転モード選択部は、前記スポーツモード選択スイッチがオンで前記エコモード選択スイッチがオフの組み合わせにより前記第１運転モードを許可し、前記スポーツモード選択スイッチがオフで前記第１運転モードを禁止し、
前記スポーツモード選択スイッチがオフで前記エコモード選択スイッチがオンの組み合わせにより前記第２運転モードを許可し、それ以外のパターンで前記第２運転モードを禁止する
ことを特徴とする車両の運転制御装置。
【発明の詳細な説明】
【技術分野】
【０００１】
本発明は、車両の運転制御装置に関する。
【背景技術】
【０００２】
従来、短時間でのスロットルの開き操作後の閉じ操作（自動四輪車においてはアクセルペダルの踏み込み後の戻し操作）に基づき、変速機のアップシフトを開始する自動変速機制御装置が記載されている（例えば、特許文献１参照）。
【先行技術文献】
【特許文献】
【０００３】
【特許文献１】特開２００９−１５６４４４号公報
【発明の概要】
【発明が解決しようとする課題】
【０００４】
従来装置にあっては、アクセルペダル操作に対する応答の異なる制御を複数実装する場合、それらを同時に実行すると制御が干渉する。制御が干渉しないよう制御の実行条件を設定するにしても、条件の管理や変更が煩雑になる、という問題があった。
【０００５】
本発明は、上記問題に着目してなされたもので、走行中、煩雑な条件の管理や変更を伴うことなく、複数実装した制御の干渉を防止することを目的とする。
【課題を解決するための手段】
【０００６】
上記目的を達成するため、本発明の車両の運転制御装置は、運転者のアクセルペダル操作に対する応答が異なる制御を複数実装する。
複数実装されている各制御が実行される運転モードを、互いに重なり合って制御が実行されることのない異なる運転モードにする運転モード選択部を有する。
【発明の効果】
【０００７】
このように、運転モードによって複数実装した制御を切り分けることで、走行中、煩雑な条件の管理や変更を伴うことなく、複数実装した制御の干渉を防止することができる。
【図面の簡単な説明】
【０００８】
【図１】実施例１の運転制御装置が適用されたベルト式無段変速機を搭載するエンジン車の駆動系と制御系を示す全体システム図である。
【図２】自動変速モードでの無段変速制御をバリエータにより実行する際に用いられるＤレンジ無段変速スケジュールの一例を示す変速スケジュール図である。
【図３】実施例１の運転制御システムを示す概要図である。
【図４】マニュアル有段変速制御運転モードで疑似有段変速制御をバリエータにより実行する際に用いられるマニュアル有段変速スケジュールの一例を示す変速スケジュール図である。
【図５】定速走行制御運転モードで用いる定速領域と加速領域と減速領域のアクセル開度と車速による設定例を示す領域区分マップである。
【図６】スポーツモード選択スイッチとエコモード選択スイッチを用いたマニュアル有段変速制御運転モードと定速走行制御運転モードの選択パターンを示す図である。
【図７】通常運転モードとマニュアル有段変速制御運転モードと定速走行制御運転モードを選択するときの運転者操作と制御動作を示すタイムチャートである。
【図８】マニュアル有段変速制御運転モードを実行する走行シーンの一例における各特性を示すタイムチャートである。
【図９】定速走行制御運転モードを実行する走行シーンの一例における各特性を示すタイムチャートである。
【発明を実施するための形態】
【０００９】
以下、本発明の車両の運転制御装置を実施するための形態を、図面に示す実施例１に基づいて説明する。
【実施例１】
【００１０】
実施例１における運転制御装置は、トルクコンバータと前後進切替機構とバリエータと終減速機構により構成されるベルト式無段変速機を搭載したエンジン車（車両の一例）に適用したものである。以下、実施例１の構成を、「全体システム構成」、「運転制御システムの構成」、「アクセルペダル操作によるマニュアル有段変速制御概要」、「アクセルペダル操作による定速走行制御概要」に分けて説明する。
【００１１】
［全体システム構成］
図１は、実施例１の車両の運転制御装置が適用されたエンジン車の駆動系と制御系を示す。以下、図１に基づいて全体システム構成を説明する。
【００１２】
エンジン車の駆動系は、図１に示すように、エンジン１と、トルクコンバータ２と、前後進切替機構３と、バリエータ４と、終減速機構５と、駆動輪６，６と、を備えている。
ここで、ベルト式無段変速機ＣＶＴは、トルクコンバータ２と前後進切替機構３とバリエータ４と終減速機構５を図外の変速機ケースに内蔵することにより構成される。
【００１３】
エンジン１は、運転者によるアクセル操作による出力トルクの制御（通常制御）以外に、外部からのエンジン制御信号により出力トルクを制御可能である。このエンジン１には、点火時期リタード制御やスロットルバルブ開閉動作等によりトルクダウン制御を行う出力トルク制御アクチュエータ１０を有する。
【００１４】
トルクコンバータ２は、トルク増大機能やトルク変動吸収機能を有する流体継手による発進要素である。トルク増大機能やトルク変動吸収機能を必要としないとき、エンジン出力軸１１（＝トルクコンバータ入力軸）とトルクコンバータ出力軸２１を直結可能なロックアップクラッチ２０を有する。このトルクコンバータ２は、ポンプインペラ２３と、タービンランナ２４と、ケースにワンウェイクラッチ２５を介して設けられたステータ２６と、を構成要素とする。
【００１５】
前後進切替機構３は、バリエータ４への入力回転方向を前進走行時の正転方向と後退走行時の逆転方向で切り替える機構である。この前後進切替機構３は、ダブルピニオン式遊星歯車３０と、複数枚のクラッチプレートによる前進クラッチ３１と、複数枚のブレーキプレートによる後退ブレーキ３２と、を有する。前進クラッチ３１は、Ｄレンジ等の前進走行レンジ選択時に前進クラッチ圧Pfcにより油圧締結される。後退ブレーキ３２は、Ｒレンジ等の後退走行レンジ選択時に後退ブレーキ圧Prbにより油圧締結される。なお、前進クラッチ３１と後退ブレーキ３２は、Ｎレンジ（ニュートラルレンジ）の選択時、前進クラッチ圧Pfcと後退ブレーキ圧Prbをドレーンすることで、いずれも解放される。
【００１６】
バリエータ４は、プライマリプーリ４２と、セカンダリプーリ４３と、プーリベルト４４と、を有し、ベルト接触径の変化により変速比（バリエータ入力回転とバリエータ出力回転の比）を無段階に変化させる無段変速機構である。
【００１７】
プライマリプーリ４２は、バリエータ入力軸４０の同軸上に配された固定プーリ４２ａとスライドプーリ４２ｂにより構成され、スライドプーリ４２ｂは、プライマリ圧室４５に導かれるプライマリ圧Ppriによりスライド動作する。
【００１８】
セカンダリプーリ４３は、バリエータ出力軸４１の同軸上に配された固定プーリ４３ａとスライドプーリ４３ｂにより構成され、スライドプーリ４３ｂは、セカンダリ圧室４６に導かれるセカンダリ圧Psecによりスライド動作する。
【００１９】
プーリベルト４４は、プライマリプーリ４２のＶ字形状をなすシーブ面と、セカンダリプーリ４３のＶ字形状をなすシーブ面に掛け渡されている。このプーリベルト４４は、環状リングを内から外へ多数重ね合わせた２組の積層リングと、打ち抜き板材により形成され、２組の積層リングに沿って挟み込みにより環状に積層して取り付けられた多数のエレメントにより構成されている。なお、プーリベルト４４としては、プーリ進行方向に多数配列したチェーンエレメントを、プーリ軸方向に貫通するピンにより結合したチェーンタイプのベルトであっても良い。
【００２０】
終減速機構５は、バリエータ出力軸４１からのバリエータ出力回転を減速すると共に差動機能を与えて左右の駆動輪６，６に伝達する機構である。この終減速機構５は、減速ギア機構として、バリエータ出力軸４１に設けられたアウトプットギア５２と、アイドラ軸５０に設けられたアイドラギア５３及びリダクションギア５４と、デフケースの外周位置に設けられたファイナルギア５５と、を有する。そして、差動ギア機構として、左右のドライブ軸５１，５１に介装されたディファレンシャルギア５６を有する。
【００２１】
エンジン車の制御系は、図１に示すように、油圧制御系である油圧制御ユニット７と、電子制御系であるＣＶＴコントロールユニット８と、エンジンコントロールユニット９と、運転支援コントロールユニット１４と、を備えている。
【００２２】
油圧制御ユニット７は、プライマリ圧室４５に導かれるプライマリ圧Ppri、セカンダリ圧室４６に導かれるセカンダリ圧Psec、前進クラッチ３１への前進クラッチ圧Pfc、後退ブレーキ３２への後退ブレーキ圧Prb、等を調圧するユニットである。この油圧制御ユニット７は、走行用駆動源のエンジン１により回転駆動されるオイルポンプ７０と、オイルポンプ７０からの吐出圧に基づいて各種の制御圧を調圧する油圧制御回路７１と、を備える。
【００２３】
油圧制御回路７１には、ライン圧ソレノイド弁７２と、プライマリ圧ソレノイド弁７３と、セカンダリ圧ソレノイド弁７４と、セレクトソレノイド弁７５と、ロックアップ圧ソレノイド弁７６と、を有する。なお、各ソレノイド弁７２，７３，７４，７５，７６は、ＣＶＴコントロールユニット８から出力される制御指令値によって各指令圧に調圧する。
【００２４】
ライン圧ソレノイド弁７２は、ＣＶＴコントロールユニット８から出力されるライン圧指令値に応じ、オイルポンプ７０からの吐出圧を、指令されたライン圧PLに調圧する。このライン圧PLは、各種の制御圧を調圧する際の元圧であり、駆動系を伝達するトルクに対してベルト滑りやクラッチ滑りを抑える油圧とされる。
【００２５】
プライマリ圧ソレノイド弁７３は、ＣＶＴコントロールユニット８から出力されるプライマリ圧指令値に応じ、ライン圧PLを元圧として指令されたプライマリ圧Ppriに減圧調整する。セカンダリ圧ソレノイド弁７４は、ＣＶＴコントロールユニット８から出力されるセカンダリ圧指令値に応じ、ライン圧PLを元圧として指令されたセカンダリ圧Psecに減圧調整する。
【００２６】
セレクトソレノイド弁７５は、ＣＶＴコントロールユニット８から出力される前進クラッチ圧指令値又は後退ブレーキ圧指令値に応じ、ライン圧PLを元圧として指令された前進クラッチ圧Pfc又は後退ブレーキ圧Prbに減圧調整する。
【００２７】
ロックアップ圧ソレノイド弁７６は、ＣＶＴコントロールユニット８から出力されるロックアップ圧指令値に応じ、ロックアップクラッチ２０を締結/スリップ締結/解放するロックアップ制御圧PL/Uを調整する。
【００２８】
ＣＶＴコントロールユニット８は、ライン圧制御や変速制御や前後進切替制御やロックアップ制御等を行う。ライン圧制御では、スロットル開度等に応じた目標ライン圧を得る指令値をライン圧ソレノイド弁７２に出力する。変速制御では、目標変速比（目標プライマリ回転Npri*）を決めると、決めた目標変速比（目標プライマリ回転Npri*）を得る指令値をプライマリ圧ソレノイド弁７３及びセカンダリ圧ソレノイド弁７４に出力する。前後進切替制御では、選択されているレンジ位置に応じて前進クラッチ３１と後退ブレーキ３２の締結/解放を制御する指令値をセレクトソレノイド弁７５に出力する。ロックアップ制御では、ロックアップクラッチ２０を締結/スリップ締結/解放するロックアップ制御圧PL/Uを制御する指令値をロックアップ圧ソレノイド弁７６に出力する。
【００２９】
ＣＶＴコントロールユニット８には、プライマリ回転センサ８０、車速センサ８１、セカンダリ回転センサ８２、油温センサ８３、インヒビタスイッチ８４、ブレーキスイッチ８５、タービン回転センサ８６等からの情報が入力される。エンジンコントロールユニット９には、エンジン回転センサ１２からの情報が入力される。さらに、アクセル開度センサ８７、スポーツモード選択スイッチ８８、エコモード選択スイッチ８９等からの情報が入力される。
【００３０】
ＣＶＴコントロールユニット８とエンジンコントロールユニット９と運転支援コントロールユニット１４は、CAN通信線１３により情報交換可能に接続されている。
【００３１】
図２は、Ｄレンジ選択時に自動変速モードでの無段変速制御をバリエータ４により実行する際に用いられるＤレンジ無段変速スケジュールの一例を示す。
【００３２】
「Ｄレンジ変速モード」は、車両運転状態に応じて変速比を自動的に無段階に変更する自動変速モードであり、通常運転モードが選択されているときに実行される。「Ｄレンジ変速モード」での変速制御は、車速VSP（車速センサ８１）とアクセル開度APO（アクセル開度センサ８７）により特定される図２のＤレンジ無段変速スケジュール上での運転点（VSP,APO）により、目標プライマリ回転数Npri*を決める。そして、プライマリ回転センサ８０からのプライマリ回転数Npriを、目標プライマリ回転数Npri*に一致させるプーリ油圧制御により行われる。
【００３３】
即ち、「Ｄレンジ変速モード」で用いられるＤレンジ無段変速スケジュールは、図２に示すように、運転点（VSP,APO）に応じて最Low変速比と最High変速比による変速比幅の範囲内で変速比を無段階に変更するように設定されている。例えば、車速VSPが一定のときは、アクセル踏み込み操作を行うと目標プライマリ回転数Npri*が上昇してダウンシフト方向に変速し、アクセル踏み戻し操作を行うと目標プライマリ回転数Npri*が低下してアップシフト方向に変速する。アクセル開度APOが一定のときは、車速VSPが上昇するとアップシフト方向に変速し、車速VSPが低下するとダウンシフト方向に変速する。
【００３４】
［運転制御システムの構成］
以下、図３に基づいて運転制御システムの構成を説明する。
運転制御システムのハード構成は、図３に示すように、エンジン１（走行用駆動源）と、ベルト式無段変速機ＣＶＴ（無段変速機：トルクコンバータ２、切替機構３、バリエータ４、終減速機構５）と、駆動輪６と、を備えている。
【００３５】
ベルト式無段変速機ＣＶＴのトルクコンバータ２は、締結によりエンジン出力軸１１（＝トルクコンバータ入力軸）とトルクコンバータ出力軸２１を直結するロックアップクラッチ２０を有する。前後進切替機構３は、前進走行レンジ（Ｄレンジ、Ｌレンジ等）の選択により締結される前進クラッチ３１と、後退走行レンジ（Ｒレンジ）の選択により締結される後退ブレーキ３２と、を並列に有する。バリエータ４（無段変速機構）は、プライマリプーリ４２と、セカンダリプーリ４３と、両プーリ４２，４３に掛け渡されるプーリベルト４４と、を有する。
【００３６】
運転制御システムのソフト構成は、図３に示すように、CAN通信線１３により接続されるＣＶＴコントロールユニット８と、エンジンコントロールユニット９と、運転支援コントロールユニット１４と、を備えている。
【００３７】
ＣＶＴコントロールユニット８は、運転支援コントロールユニット１４からCAN通信線１３を介して変速要求を入力すると、通常の変速制御（Ｄレンジ無段変速スケジュールを用いた無段変速制御）に優先して運転支援対応の変速制御が実行される。運転支援対応の変速制御では、バリエータ４の変速比を、変速要求による目標変速比とするアップシフト又はダウンシフトが行われる。
【００３８】
ＣＶＴコントロールユニット８には、「マニュアル有段変速制御運転モード」が選択されると、バリエータ４により疑似有段変速であるマニュアル有段変速制御（疑似有段変速制御）を実行するマニュアル有段変速制御部８ａを有する。マニュアル有段変速制御は、レバー操作やスイッチ操作に代え、アクセルペダル９０へのワンペダル操作により変速段のアップシフトやダウンシフトを行う第１制御に相当する。
【００３９】
エンジンコントロールユニット９は、エンジン１から駆動輪６へ伝達される駆動力を制御する駆動力制御手段である。運転支援コントロールユニット１４からCAN通信線１３を介してトルクダウン要求を入力すると、通常のエンジン制御（アクセル開度に応じたエンジン出力制御）に優先して運転支援対応のトルクダウン制御が実行される。運転支援対応のトルクダウン制御では、エンジン１の出力トルクを、トルクダウン要求による目標トルクに制限する制御が行われる。
【００４０】
運転支援コントロールユニット１４は、自動ブレーキ制御や自動駐車制御等のように、運転者による運転操作（アクセル操作、ブレーキ操作、ステアリング操作等）の負担を軽減する各種の運転支援制御を行う。
【００４１】
運転支援コントロールユニット１４には、「定速走行制御運転モード」が選択されると、実車速を目標車速に一致させる駆動力制御により車速を維持して走行する定速走行制御を実行する定速走行制御部１４ａが設けられる。定速走行制御は、スイッチ操作に代え、アクセルペダル９０へのワンペダル操作により目標車速を設定する第２制御に相当する。
【００４２】
ＣＶＴコントロールユニット８には、マニュアル有段変速制御部８ａ以外に、運転モード選択部８ｂを有する。運転モード選択部８ｂは、駆動性能重視のスポーツモード選択スイッチ８８（第１スイッチ）と、燃費性能重視のエコモード選択スイッチ８９（第２スイッチ）を用い、スイッチ信号の組み合わせにより運転モードを切り分けて選択する。
【００４３】
ここで、スポーツモード選択スイッチ８８は、Ｄレンジ無段変速スケジュールとして、車速上昇に対してハイ変速比への移行を抑える変速制御になるスポーツモード変速スケジュールを選択するスイッチである。エコモード選択スイッチ８９は、Ｄレンジ無段変速スケジュールとして、車速上昇に対してハイ変速比への移行を促す変速制御になるエコモード変速スケジュールを選択するスイッチである。
【００４４】
つまり、「マニュアル有段変速制御運転モード（第１運転モード）」は、運転者のアクセルペダル操作に対して変速要求応答をするマニュアル有段変速制御（第１制御）が実行される運転モードである。「定速走行制御運転モード（第２運転モード）」は、運転者のアクセルペダル操作に対して目標車速設定応答をする定速走行制御（第２制御）が実行される運転モードである。よって、運転者のアクセルペダル操作に対する応答が異なる２つの制御による「マニュアル有段変速制御運転モード」と「定速走行制御運転モード」を、互いに重なり合って制御が実行されることのない異なる運転モードに設定している。
【００４５】
［アクセルペダル操作によるマニュアル有段変速制御概要］
アクセルペダル操作によるマニュアル有段変速制御は、運転者の変速意図によるアクセルペダル９０へのアクセルペダル操作に基づいて、固定変速比による複数のマニュアル変速段（Ｍ１速段〜Ｍ５速段）を変更する。このアクセルペダル操作によるマニュアル有段変速制御は、「マニュアル有段変速制御運転モード」を選択しているとき、運転者による変速意図に基づいて所定のペダル操作を行う。そうすると、検知されるペダル操作信号をトリガとしてアップシフトやダウンシフトが実行される。つまり、手動操作を要することなくアクセルペダル操作により複数のマニュアル変速段（Ｍ１速段〜Ｍ５速段）を変更することで、“アクセルシフト”と呼ばれる。アクセルペダル操作によるマニュアル有段変速制御は、図４のマニュアル有段変速スケジュールを用いて行われる。
【００４６】
マニュアル有段変速スケジュールは、図４に示すように、最Low変速比と最High変速比による変速比幅の範囲内で、固定変速比線を複数本引くことによりマニュアル変速段が設定される。例えば、マニュアル変速段をＭ１速段〜Ｍ５速段とすると、最Low変速比線がＭ１速段に設定され、最High変速比線がＭ５速段に設定される。そして、Ｍ２速段〜Ｍ４速段の固定変速比線は、最Low変速比線と最High変速比線との間に、ほぼ等角度により互いに離れた位置に複数の固定変速比線を引くことで設定される。
【００４７】
このため、運転点（VSP,APO）がＭ２速段の固定変速比線上のＤ点であるとき、特定のアクセルペダル操作によりアップシフト要求があると、運転点（VSP,APO）がＭ３速段の固定変速比線上のＥ点へと移る。このため、目標プライマリ回転数Npri*（エンジン回転数）が一気に低下してマニュアルアップシフト感が得られる。
【００４８】
一方、運転点（VSP,APO）がＭ４速段の固定変速比線上のＦ点にあるとき、アップシフト要求とは異なる特定のアクセルペダル操作によりダウンシフト要求があると、運転点（VSP,APO）がＭ３速段の固定変速比線上のＧ点へと移る。このため、目標プライマリ回転数Npri*（エンジン回転数）が一気に上昇してマニュアルダウンシフト感が得られる。
【００４９】
［アクセルペダル操作による定速走行制御概要］
アクセルペダル操作による定速走行制御は、運転者の変速意図によるアクセルペダル９０へのアクセルペダル操作に基づいて、目標車速の設定と目標車速の書き替えをし、定速走行制御を実行する。つまり、手動操作を要することなくアクセルペダル操作により定速走行制御を実行することで、“ワンペダルASCD”と呼ばれる。このアクセルペダル操作による定速走行制御は、「定速走行制御運転モード」を選択しているとき、図５の領域区分マップを用いて行われる。
【００５０】
領域区分マップは、図５に示すように、車速軸とアクセル開度軸による二軸座標面に対してアクセル開度APOの下側閾値αと上側閾値βの特性線を、車速上昇によるR/L駆動力の上昇勾配に一致させて設定している。そして、全アクセル開度領域を、下側閾値αから上側閾値βまでの車速VSPの上昇により拡大するアクセル開度幅による定速領域Ｃと、上側閾値βより高開度の加速領域Ａと、下側閾値αより低開度の減速領域Ｂと、に分けている。なお、車速VSPについては、定速走行制御を許可する車速域を、第１車速VSP1から第２車速VSP2までとしている。
【００５１】
「定速走行制御運転モード」を選択しているとき、検知されるアクセル開度APOが中間開度域に設定された定速領域Ｃに入ると、入った瞬間の実車速を目標車速に設定する。そして、定速領域Ｃのアクセル開度範囲内でアクセル開度APOが変化している間は、アクセル開度APOに車速VSPが応答せずに、目標車速を維持する駆動力制御（車速F/B、加速度F/B）の実行により定速走行とされる。
【００５２】
定速走行中に目標車速を、より高車速にしたときは、定速領域Ｃから加速領域Ａへ外れるようにアクセル踏み増し操作を行って加速する。そして、加速により上昇した車速を新たな目標車速としたいときは、アクセル踏み戻し操作を行って再び加速領域Ａから定速領域Ｃに入ると、入った瞬間の実車速が新たな目標車速として書き替えられる。
【００５３】
定速走行中に目標車速を、より低車速にしたときは、定速領域Ｃから減速領域Ｂへ外れるようにアクセル踏み戻し操作を行って減速する。そして、減速により低下した車速を新たな目標車速としたいときは、アクセル踏み増し操作を行って再び減速領域Ｂから定速領域Ｃに入ると、入った瞬間の実車速が新たな目標車速として書き替えられる。
【００５４】
次に、実施例１の作用を、「運転モードの選択作用」、「アクセルペダル操作によるマニュアル有段変速制御作用」、「アクセルペダル操作による定速走行制御作用」に分けて説明する。
【００５５】
［運転モードの選択作用］
「マニュアル有段変速制御運転モード」と「定速走行制御運転モード」の選択は、既存のスイッチとして設けられているスポーツモード選択スイッチ８８からのスイッチ信号と、エコモード選択スイッチ８９からのスイッチ信号の組み合わせにより行われる。
【００５６】
「マニュアル有段変速制御運転モード」は、図６に示すように、スポーツモード選択スイッチ８８がオンでエコモード選択スイッチ８９がオフの組み合わせにより許可される。そして、「マニュアル有段変速制御運転モード」は、図６に示すように、スポーツモード選択スイッチ８８がオフであるときに禁止される。
【００５７】
「定速走行制御運転モード」は、図６に示すように、スポーツモード選択スイッチ８８がオフでエコモード選択スイッチ８９がオンの組み合わせにより許可される。そして、「定速走行制御運転モード」は、図６に示すように、それ以外のパターンであるときに禁止される。
【００５８】
即ち、図７の時刻t1に到達するまでは、スポーツモード選択スイッチ８８からのスイッチ信号がOFFで、エコモード選択スイッチ８９からのスイッチ信号がOFFである。このときは、「通常制御運転モード」が選択される。なお、「通常制御運転モード」とは、「マニュアル有段変速制御運転モード」と「定速走行制御運転モード」が何れも選択されない運転モードをいう。
【００５９】
図７の時刻t1に到達すると、スポーツモード選択スイッチ８８からのスイッチ信号がOFFからONに切り替わり、エコモード選択スイッチ８９からのスイッチ信号がOFFのままである。よって、時刻t1〜時刻t2までの間は、「マニュアル有段変速制御運転モード（足M UP/DOWN）」が選択される。時刻t2に到達し、エコモード選択スイッチ８９からのスイッチ信号がOFFからONに切り替わると、「定速走行制御運転モード（足ASCD）」を禁止する２つのスイッチ信号が共にONのパターンである。このため、時刻t2〜時刻t3までの間は、「マニュアル有段変速制御運転モード（足M UP/DOWN）」の選択が維持される。
【００６０】
図７の時刻t3に到達すると、スポーツモード選択スイッチ８８からのスイッチ信号がONからOFFに切り替わり、エコモード選択スイッチ８９からのスイッチ信号がONのままである。よって、時刻t3に到達すると、「マニュアル有段変速制御運転モード（足M UP/DOWN）」から「定速走行制御運転モード（足ASCD）」へ切り替えられ、時刻t3以降は、「定速走行制御運転モード（足ASCD）」が選択される。
【００６１】
［アクセルペダル操作によるマニュアル有段変速制御作用］
図８は、「マニュアル有段変速制御運転モード」を実行する走行シーンの一例における各特性を示す。以下、図８に示すタイムチャートに基づいてアクセルペダル操作によるマニュアル有段変速制御作用を説明する。なお、図８の「目標ギア比」はベルト式無段変速機ＣＶＴの目標変速比であり、「ギア比」は変速比である。
【００６２】
時刻t1においてアクセルOFFの車両停止状態にてブレーキON操作をする。時刻t2において発進の準備操作として、アクセルOFFのままでブレーキON→OFF操作をする。時刻t3において発進操作として、アクセルOFF→ON操作をすると、アクセル開度信号がゼロ開度から上昇を開始し、エンジン回転数がアイドル回転数から上昇を開始し、車速VSPがゼロ車速から上昇を開始する。そして、アクセルON操作開始時刻t3からアクセル戻し操作終了時刻t4までは、制御モードとして、「Ｄレンジ変速モード」が選択され、ベルト式無段変速機ＣＶＴではＤレンジ変速線（図２）での無段変速が実行される。ロックアップクラッチ２０についても時刻t3〜時刻t4までは解放状態が維持される。
【００６３】
時刻t4の直前から素早いアクセル戻し操作が行われると、アクセル戻し操作終了時刻t4においてアクセル開速度条件及びアクセル開度差条件が成立し、アップシフト判定される。このアップシフト判定と同時に、制御モードが、「Ｄレンジ変速モード」から「Ｍアップモード」へと切り替えられ、Ｍ１速段からＭ２速段へと移行するアップシフトの実行が開始される。そして、時刻t4においてアップシフト判定と同時に、ロックアップクラッチ２０が解放状態（ロックアップOFF）から締結状態（ロックアップON）へと移行するロックアップ締結制御が行われる。アクセル戻し操作終了時刻t4から素早いアクセル踏み込み操作が行われると、アクセル踏み込み操作終了時刻t5において、アクセル開速度条件及びアクセル操作UP判定タイマー条件が共に成立し、表示モードが、「Ｄレンジ変速モード」から「Ｍアップモード」へと切り替えられる。
【００６４】
時刻t5から高いアクセル開度APOを維持し、時刻t6の直前になって素早いアクセル戻し操作が行われると、アクセル戻し操作終了時刻t6においてアクセル開速度条件及びアクセル開度差条件が成立し、アップシフト判定される。このアップシフト判定と同時に、Ｍ２速段からＭ３速段へと移行するアップシフトの実行が開始される。
【００６５】
時刻t6の直後から高いアクセル開度APOを維持し、時刻t7の直前になってアクセル開度APO＝０に向かう素早いアクセル戻し操作が行われると、アクセル解放操作終了時刻t7においてアクセル開速度条件及びアクセル開度差条件が成立し、アップシフト判定される。このアップシフト判定と同時に、Ｍ３速段からＭ４速段へと移行するアップシフトの実行が開始される。
【００６６】
時刻t7の直後から高いアクセル開度APOを維持し、時刻t8の直前になって素早いアクセル戻し操作が行われると、アクセル解放操作終了時刻t8においてアクセル開速度条件及びアクセル開度差条件が成立し、アップシフト判定される。このアップシフト判定と同時に、Ｍ４速段からＭ５速段へと移行するアップシフトの実行が開始される。
【００６７】
そして、時刻t9において緩やかなアクセル戻し操作を開始すると、Ｍ５速段を維持したままで時刻t9からエンジン回転数が低下し、時刻t10においてアクセル開度APOがゼロのアクセル解放状態になる。アクセル解放状態で時刻t10から設定値ΔＴ２の時間が経過する時刻t11になると、「Ｍアップモード」の解除条件が成立する。「Ｍアップモード」の解除条件が成立すると、「Ｍアップモード」が解除され、制御モード及び表示モードが「Ｍアップモード」から「Ｄレンジ変速モード」に切り替えられる。そして、解除条件成立時刻t11からは、「Ｄレンジ変速モード」の選択によりＤレンジ変速線（図２）での無段変速に復帰する。
【００６８】
時刻t11において「Ｄレンジ変速モード」による無段変速に復帰した後、運転者が減速を意図して時刻t12においてブレーキON操作をすると、ロックアップクラッチ２０が締結状態（ロックアップON）から解放状態（ロックアップOFF）へと移行するロックアップ解放制御が行われる。
【００６９】
そして、ブレーキON操作中の時刻t13の直前のタイミングにて運転者がダウンシフトを意図して素早いアクセル踏み込み操作からの戻し操作を行うと、アクセル戻し操作終了時刻t13においてダウンシフト操作条件が成立し、ダウンシフト判定される。このダウンシフト判定と同時に、制御モードと表示モードが、「Ｄレンジ変速モード」から「Ｍダウンモード」へと切り替えられ、Ｍ５速段からＭ４速段へと移行するダウンシフトの実行が開始される。そして、ダウンシフト判定と同時に、ロックアップクラッチ２０が解放状態（ロックアップOFF）から締結状態（ロックアップON）へと移行するロックアップ締結制御が行われる。
【００７０】
時刻13の後、アクセル解放状態を維持し、時刻t14においてブレーキOFF操作がなされる。そして、アクセル解放状態を維持したままで時刻t15の直前のタイミングにて運転者がダウンシフトを意図して素早いアクセル踏み込み操作からの戻し操作を行うと、アクセル戻し操作終了時刻t15においてダウンシフト操作条件が成立し、ダウンシフト判定される。このダウンシフト判定と同時に、Ｍ４速段からＭ３速段へと移行するダウンシフトの実行が開始される。
【００７１】
時刻t15からアクセル解放状態を維持したままで時刻t16の直前のタイミングにて運転者がダウンシフトを意図して素早いアクセル踏み込み操作からの戻し操作を行うと、アクセル戻し操作終了時刻t16においてダウンシフト操作条件が成立し、ダウンシフト判定される。このダウンシフト判定と同時に、Ｍ３速段からＭ２速段へと移行するダウンシフトの実行が開始される。
【００７２】
時刻16の後、アクセル解放状態を維持し、時刻t17においてブレーキON操作がなされる。そして、ブレーキON状態を維持したままで車速VSPが低下する時刻t18になると、低車速であることにより、ロックアップクラッチ２０が締結状態（ロックアップON）から解放状態（ロックアップOFF）へと移行するロックアップ解放制御が行われる。
【００７３】
そして、時刻t19にて停車すると、「Ｍダウンモード」の解除条件が成立する。「Ｍダウンモード」の解除条件が成立すると、「Ｍダウンモード」が解除され、制御モード及び表示モードが「Ｍダウンモード」から「Ｄレンジ変速モード」に切り替えられる。そして、解除条件成立時刻t19からは、「Ｄレンジ変速モード」の選択によりＤレンジ変速線（図２）での無段変速状態に復帰する。
【００７４】
［アクセルペダル操作による定速走行制御作用］
図９は、「定速走行制御運転モード」を実行する走行シーンの一例における各特性を示す。以下、図９に基づいてアクセルペダル操作による定速走行制御作用を説明する。
【００７５】
図９の時刻t1までに、アクセル踏み込み操作によりアクセル開度APOが定速領域Ｃに入り、定速領域Ｃに入った瞬間の車速VSPが目標車速1に設定され、設定された目標車速１を維持する“定速走行モード”が開始されているとする。
【００７６】
時刻t1にてアクセル踏み込み操作によりアクセル開度APOが定速領域Ｃから加速領域Ａに入ると、車速F/Bが時刻t1までのONからOFFへとスムーズに移行し、加速度F/Bが時刻t1までのＧ＝０からＧ＞０へと移行する。この加速度F/Bによって、車速VSPが時刻t1での車速（≒目標車速１）から運転者の加速要求にしたがって上昇する。
【００７７】
時刻t2にてアクセル踏み戻し操作によりアクセル開度APOが加速領域Ａから定速領域Ｃに入ると、まず、目標車速が、目標車速１から定速領域Ｃに入った瞬間の目標車速２（＞目標車速１）に書き替えられる。同時に、車速F/Bが時刻t2までのOFFからONへとスムーズに移行し、加速度F/Bが時刻t2までのＧ＞０からＧ＝０へと移行する。この車速F/Bによって、車速VSPが時刻t2での車速（＝目標車速２）をそのまま維持するように制御される。
【００７８】
時刻t3にてアクセル踏み込み操作によりアクセル開度APOが定速領域Ｃから加速領域Ａに入ると、車速F/Bが時刻t3までのONからOFFへとスムーズに移行し、加速度F/Bが時刻t3までのＧ＝０からＧ＞０へと移行する。この加速度F/Bによって、車速VSPが時刻t3での車速（≒目標車速２）から運転者の加速要求にしたがって上昇する。
【００７９】
時刻t4にてアクセル踏み戻し操作によりアクセル開度APOが加速領域Ａから定速領域Ｃに入ると、まず、目標車速が、目標車速２から定速領域Ｃに入った瞬間の目標車速３（＞目標車速２）に書き替えられる。同時に、車速F/Bが時刻t4までのOFFからONへとスムーズに移行し、加速度F/Bが時刻t4までのＧ＞０からＧ＝０へと移行する。この車速F/Bによって、車速VSPが時刻t4での車速（＝目標車速３）をそのまま維持するように制御される。
【００８０】
時刻t5にてアクセル踏み戻し操作によりアクセル開度APOが定速領域Ｃから減速領域Ｂに入ると、車速F/Bが時刻t5までのONからOFFへとスムーズに移行し、加速度F/Bが時刻t5までのＧ＝０からＧ＜０へと移行する。この加速度F/Bによって、車速VSPが時刻t5での車速（≒目標車速３）から運転者の減速要求にしたがって低下する。
【００８１】
時刻t6にてアクセル踏み込み操作によりアクセル開度APOが減速領域Ｂから定速領域Ｃに入ると、まず、目標車速が、目標車速３から定速領域Ｃに入った瞬間の目標車速４（＜目標車速３）に書き替えられる。同時に、車速F/Bが時刻t6までのOFFからONへとスムーズに移行し、加速度F/Bが時刻t6までのＧ＜０からＧ＝０へと移行する。この車速F/Bによって、車速VSPが時刻t6での車速（＝目標車速４）をそのまま維持するように制御される。
【００８２】
このように、アクセル開度APOの定速領域Ｃに入るアクセル踏み込み操作によって目標車速を設定し、定速走行モードを開始する。目標車速を上げる書き替えは、アクセル踏み込み操作中に運転者の希望する車速になったタイミングでアクセル戻し操作をすることにより行われる。さらに、目標車速を下げる書き替えは、アクセル踏み戻し操作中に運転者の希望する車速になったタイミングでのアクセル踏み操作をすることにより行われる。つまり、アクセルペダルに対するワンペダル操作により、定速走行モードを開始する目標車速を設定できるばかりでなく、目標車速の適宜変更を行うことができる。
【００８３】
以上説明してきたように、実施例１の車両の運転制御装置にあっては、下記に列挙する効果が得られる。
【００８４】
(1) 運転者のアクセルペダル操作に対する応答が異なる制御（マニュアル有段変速制御、定速走行制御）を複数実装する。
複数実装されている各制御が実行される運転モード（マニュアル有段変速制御運転モード、定速走行制御運転モード）を、互いに重なり合って制御が実行されることのない異なる運転モードにする運転モード選択部８ｂを有する。
このように、運転モードによって複数実装した制御を切り分けることで、走行中、煩雑な条件の管理や変更を伴うことなく、複数実装した制御の干渉を防止することができる。
【００８５】
(2) 車両は、駆動系に無段変速機構（バリエータ４）を備える。
運転者のアクセルペダル操作により無段変速機構の疑似有段変速制御を実行する第１制御（マニュアル有段変速制御）と、運転者のアクセルペダル操作により車速を所定車速に維持する定速走行制御を実行する第２制御（定速走行制御）とを実装する。
運転モード選択部８ｂは、第１制御が実行される第１運転モード（マニュアル有段変速制御運転モード）と、第２制御が実行される第２運転モード（定速走行制御運転モード）とを切り分けて選択する。
このように、第１制御（マニュアル有段変速制御）と第２制御（定速走行制御）とを切り分けて選択することで、運転者のアクセルペダル操作という共通の操作に基づいて実行される２つの制御が干渉するのを防止することができる。
【００８６】
(3) 運転モード選択部８ｂは、無段変速機構（バリエータ４）による異なる無段変速パターンを選択する既存の第１スイッチ（スポーツモード選択スイッチ８８）と第２スイッチ（エコモード選択スイッチ８９）とからスイッチ信号を入力する。
第１スイッチと第２スイッチからのスイッチ信号の組み合わせにより、第１運転モード（マニュアル有段変速制御運転モード）と第２運転モード（定速走行制御運転モード）とを切り分けて選択する。
このように、既存の２つのスイッチを流用して運転モードの選択を行うことで、新たにスイッチを追加することなく、第１運転モード（マニュアル有段変速制御運転モード）と第２運転モード（定速走行制御運転モード）とを切り分けて選択することができる。
【００８７】
(4) 第１スイッチは、駆動性能重視のスポーツモード選択スイッチ８８である。
第２スイッチは、エネルギー消費性能重視のエコモード選択スイッチ８９である。
運転モード選択部８ｂは、スポーツモード選択スイッチ８８がオンでエコモード選択スイッチ８９がオフの組み合わせにより第１運転モード（マニュアル有段変速制御運転モード）を許可し、スポーツモード選択スイッチ８８がオフで第１運転モードを禁止する。
スポーツモード選択スイッチ８８がオフでエコモード選択スイッチ８９がオンの組み合わせにより第２運転モード（定速走行制御運転モード）を許可し、それ以外のパターンで第２運転モードを禁止する。
このように、選択スイッチにより連想する運転走行と共通性を持つ運転モードを組み合わせることで、運転者にとって運転モードの選択操作を容易に行うことができる。
即ち、「マニュアル有段変速制御運転モード」は、スポーツモード選択スイッチ８８により連想する運転走行（マニュアル有段変速走行）と共通性を持つ。「定速走行制御運転モード」は、エコモード選択スイッチ８９により連想する運転走行（定速走行）と共通性を持つ。
【００８８】
以上、本発明の車両の運転制御装置を実施例１に基づき説明してきた。しかし、具体的な構成については、この実施例1に限られるものではなく、特許請求の範囲の各請求項に係る発明の要旨を逸脱しない限り、設計の変更や追加等は許容される。
【００８９】
実施例１では、運転モード選択部８ｂとして、マニュアル有段変速制御運転モードと定速走行制御運転モードを有し、２つの運転モードを切り分けて選択する例を示した。しかし、運転モード選択部としては、運転者のアクセルペダル操作に対する応答が異なる制御であれば、実施例１で示す以外の運転モード（例えば、所定のアクセル開度以上で実行される疑似有段アップシフト運転モード等）を有するような例としても良い。また、３つ以上の運転モードを切り分けて選択する例としても良い。
【００９０】
実施例１では、運転モード選択部８ｂとして、スポーツモード選択スイッチ８８とエコモード選択スイッチ８９からのスイッチ信号を入力し、２つの運転モードを選択する例を示した。しかし、運転モード選択部としては、新たに設定した運転モード選択スイッチにより２以上の運転モードを選択する例としても良い。
【００９１】
実施例１では、本発明の運転制御装置を、トルクコンバータと前後進切替機構とバリエータと終減速機構により構成されるベルト式無段変速機を搭載したエンジン車に適用する例を示した。しかし、本発明の運転制御装置は、バリエータのみによるベルト式無段変速機に限らず、バリエータと副変速機が直列に連結される副変速機付きベルト式無段変速機を搭載した車両や有段変速機構を搭載した車両に適用しても良い。また、適用される車両としても、エンジン車に限らず、走行用駆動源にエンジンとモータを搭載したハイブリッド車、走行用駆動源にモータを搭載した電気自動車等に対しても適用できる。
【符号の説明】
【００９２】
１  エンジン
ＣＶＴ  ベルト式無段変速機
２  トルクコンバータ
３  前後進切替機構
４  バリエータ（無段変速機構）
５  終減速機構
６  駆動輪
８  ＣＶＴコントロールユニット
８ａ  マニュアル有段変速制御部
８ｂ  運転モード選択部
９  エンジンコントロールユニット
１４  運転支援コントロールユニット
１４ａ  定速走行制御部
８１  車速センサ
８７  アクセル開度センサ
８８  スポーツモード選択スイッチ（第１スイッチ）
８９  エコモード選択スイッチ（第２スイッチ）
９０  アクセルペダル
【図１】
2019158024.tif 000003
【図２】
2019158024.tif 000004
【図３】
2019158024.tif 000005
【図４】
2019158024.tif 000006
【図５】
2019158024.tif 000007
【図６】
2019158024.tif 000008
【図７】
2019158024.tif 000009
【図８】
2019158024.tif 000010
【図９】
2019158024.tif 000011